(57)【要約】【課題】チャンネルの設定操作を行うことなく、他のテレビジョン受信機で視聴していた番組と同一の番組の視聴が可能なテレビジョン受信機を提供する。【解決手段】制御部１０は、集音して得られた音声データに対して音声処理を行い、ＲＡＭ１１に記憶する。また、制御部１０は、１つのチャンネルを選択し、選択したチャンネルのテレビジョン放送の放送信号を受信し、受信した放送信号をデコードし、抽出した音声データをＲＡＭ１１に記憶する。制御部１０は、ＲＡＭ１１に記憶した２つ音声データに対して、予め算出して記憶部１２に記憶してある遅延情報に基づく遅延処理を行った後、比較する。制御部１０は、２つの音声データが一致するまで順次異なるチャンネルを選択し、集音して得られた音声データとの比較処理を繰り返す。制御部１０は、２つの音声データが一致した場合、このとき選択していたチャンネルを最終選局情報として記憶部１２に記憶する。【選択図】図１
2013239832.tif 000002
【特許請求の範囲】
【請求項１】
複数チャンネルのテレビジョン放送の受信が可能な受信部と、
前記複数チャンネルのうちの１つを選択し、選択したチャンネルのテレビジョン放送を前記受信部に受信させる選択部と、
前記受信部が受信したテレビジョン放送から音声データを抽出する抽出部と、
音声を収集して音声データを取得する音声取得部と、
前記抽出部が抽出した音声データ及び前記音声取得部が取得した音声データが一致するか否かを判定する判定部と、
該判定部が一致すると判定した場合、前記選択部が選択したチャンネルを記憶する記憶部と
を備えることを特徴とするテレビジョン受信機。
【請求項２】
前記選択部は、前記判定部が一致しないと判定した場合、異なるチャンネルを選択するようにしてあり、
前記判定部は、前記選択部が異なるチャンネルを選択した場合、前記受信部が受信した前記異なるチャンネルのテレビジョン放送から前記抽出部が抽出した音声データと、前記音声取得部が取得した音声データとが一致するか否かを判定するようにしてあることを特徴とする請求項１に記載のテレビジョン受信機。
【請求項３】
テレビジョン放送に基づく映像の表示指示を受け付ける受付部を備え、
前記選択部は、前記受付部が表示指示を受け付けた場合、前記記憶部に記憶してあるチャンネルを選択し、選択したチャンネルのテレビジョン放送を前記受信部に受信させるようにしてあり、
前記受信部が受信したテレビジョン放送に基づく映像を表示する表示部を更に備えることを特徴とする請求項１又は２に記載のテレビジョン受信機。
【請求項４】
前記受信部が受信した所定チャンネルのテレビジョン放送から前記抽出部が抽出した音声データと、前記所定チャンネルのテレビジョン放送に基づく音声を前記音声取得部が収集して取得した音声データとの間の遅延情報を算出する算出部と、
該算出部が算出した遅延情報に基づく遅延処理を、前記選択部が選択したチャンネルのテレビジョン放送から前記抽出部が抽出した音声データ、及び／又は、前記音声取得部が取得した音声データに行う遅延処理部とを備え、
前記判定部は、前記遅延処理部が遅延処理を行った音声データに基づいて、前記抽出部が抽出した音声データ及び前記音声取得部が取得した音声データが一致するか否かを判定するようにしてあることを特徴とする請求項１から３までのいずれかひとつに記載のテレビジョン受信機。
【発明の詳細な説明】
【技術分野】
【０００１】
本発明は、複数チャンネルのテレビジョン放送の受信が可能なテレビジョン受信機に関する。
【背景技術】
【０００２】
近年、液晶ディスプレイ、プラズマディスプレイ及び有機ＥＬ（Electro Luminescence）ディスプレイ等の小型軽量化に伴い、持ち運びが可能なテレビジョン受信機が普及している。また、スマートフォンやタブレット端末等の携帯端末装置において、テレビジョン放送の受信機能が搭載された装置が普及している。このような装置を用いることにより、外出前に自宅の据え置き型のテレビジョン受信機で視聴していた番組を、外出後に携帯端末装置にて引き続き視聴することが可能となる。しかし、自宅のテレビジョン受信機で視聴していた番組と同一の番組を視聴したい場合であっても、ユーザは、携帯端末装置を操作して再度選局する必要がある。また、外出前に視聴していたチャンネルが不明である場合、ユーザは、携帯端末装置を操作して所望のチャンネルを探す必要がある。
【０００３】
そこで、特許文献１では、テレビ視聴機能及び近距離無線通信機能を有する携帯電話機が、テレビ放送の視聴情報（チャンネル情報）を近距離無線通信にて外部機器へ送信する技術が提案されている。これにより、携帯電話機でテレビ放送を視聴していたユーザは、外部機器にて選局することなく、携帯電話機で視聴していた番組と同じ番組を外部機器にて視聴可能となる。
【先行技術文献】
【特許文献】
【０００４】
【特許文献１】特開２００６−１４１２２号公報
【発明の概要】
【発明が解決しようとする課題】
【０００５】
特許文献１に開示された技術では、携帯電話機及び外部機器に近距離無線通信機能を搭載しておく必要があるという問題がある。
【０００６】
本発明は、斯かる事情に鑑みてなされたものである。その目的とするところは、通信機能を備えないテレビジョン受信機においても、ユーザがチャンネルの設定操作を行うことなく、他のテレビジョン受信機で視聴していた番組と同一の番組の視聴が可能なテレビジョン受信機を提供することにある。
【課題を解決するための手段】
【０００７】
本発明に係るテレビジョン受信機は、複数チャンネルのテレビジョン放送の受信が可能な受信部と、前記複数チャンネルのうちの１つを選択し、選択したチャンネルのテレビジョン放送を前記受信部に受信させる選択部と、前記受信部が受信したテレビジョン放送から音声データを抽出する抽出部と、音声を収集して音声データを取得する音声取得部と、前記抽出部が抽出した音声データ及び前記音声取得部が取得した音声データが一致するか否かを判定する判定部と、該判定部が一致すると判定した場合、前記選択部が選択したチャンネルを記憶する記憶部とを備えることを特徴とする。
【０００８】
本発明によれば、テレビジョン受信機は、複数チャンネルのうちの１つを選択し、選択したチャンネルのテレビジョン放送を受信し、受信したテレビジョン放送（テレビジョン放送の放送信号）から音声データを抽出する。また、テレビジョン受信機は、音声を収集して音声データを取得し、テレビジョン放送から抽出した音声データと比較し、一致するか否かを判定する。テレビジョン受信機は、一致すると判定した場合、選択したチャンネルを記憶部に記憶させる。よって、外部の音声と一致する音声データを放送するチャンネルを特定することが可能である。例えば、他のテレビジョン受信機で視聴中のテレビジョン放送に基づく音声に一致する音声データを放送するチャンネルを特定することにより、他のテレビジョン受信機で視聴中のチャンネルを特定できる。
【０００９】
本発明に係るテレビジョン受信機は、前記選択部は、前記判定部が一致しないと判定した場合、異なるチャンネルを選択するようにしてあり、前記判定部は、前記選択部が異なるチャンネルを選択した場合、前記受信部が受信した前記異なるチャンネルのテレビジョン放送から前記抽出部が抽出した音声データと、前記音声取得部が取得した音声データとが一致するか否かを判定するようにしてあることを特徴とする。
【００１０】
本発明によれば、テレビジョン受信機は、集音して得られた音声データと、テレビジョン放送から抽出した音声データとが一致しない場合、異なるチャンネルを選択し、異なるチャンネルのテレビジョン放送から抽出した音声データと、集音して得られた音声データとの比較を再度行う。テレビジョン受信機は、集音して得られた音声データと、テレビジョン放送から抽出した音声データとが一致するまで比較処理を行う。よって、外部の音声と一致する音声データを放送するチャンネルを複数チャンネルのうちから特定することが可能である。
【００１１】
本発明に係るテレビジョン受信機は、テレビジョン放送に基づく映像の表示指示を受け付ける受付部を備え、前記選択部は、前記受付部が表示指示を受け付けた場合、前記記憶部に記憶してあるチャンネルを選択し、選択したチャンネルのテレビジョン放送を前記受信部に受信させるようにしてあり、前記受信部が受信したテレビジョン放送に基づく映像を表示する表示部を更に備えることを特徴とする。
【００１２】
本発明によれば、テレビジョン受信機は、テレビジョン放送に基づく映像の表示指示を受け付けた場合、記憶してあるチャンネルを選択し、選択したチャンネルのテレビジョン放送に基づく映像を表示する。よって、テレビジョン放送の視聴指示を受け付けた場合に、外部の音声と一致した音声データを放送するチャンネルのテレビジョン放送の視聴が可能となる。例えば、他のテレビジョン受信機で視聴していたチャンネルと同一のチャンネルのテレビジョン放送の視聴が可能となる。
【００１３】
本発明に係るテレビジョン受信機は、前記受信部が受信した所定チャンネルのテレビジョン放送から前記抽出部が抽出した音声データと、前記所定チャンネルのテレビジョン放送に基づく音声を前記音声取得部が収集して取得した音声データとの間の遅延情報を算出する算出部と、該算出部が算出した遅延情報に基づく遅延処理を、前記選択部が選択したチャンネルのテレビジョン放送から前記抽出部が抽出した音声データ、及び／又は、前記音声取得部が取得した音声データに行う遅延処理部とを備え、前記判定部は、前記遅延処理部が遅延処理を行った音声データに基づいて、前記抽出部が抽出した音声データ及び前記音声取得部が取得した音声データが一致するか否かを判定するようにしてあることを特徴とする。
【００１４】
本発明によれば、テレビジョン受信機は、所定チャンネルのテレビジョン放送から抽出した音声データと、前記所定チャンネルのテレビジョン放送に基づく音声を収集して取得した音声データとの間の遅延情報を算出する。即ち、テレビジョン受信機は、テレビジョン放送を受信して音声データを抽出する処理に要する時間と、外部のテレビジョン受信機（他のテレビジョン受信機）がテレビジョン放送を受信して音声出力した音声を収集して音声データを取得する処理に要する時間との差異を予め算出しておく。そして、テレビジョン受信機は、算出した遅延情報に基づく遅延処理を、集音して得られた音声データと、テレビジョン放送から抽出した音声データとに行った後、比較する。即ち、テレビジョン受信機は、２つの音声データを比較する際に遅延情報を考慮する。よって、集音して得られた音声データと、テレビジョン放送から抽出した音声データとを効率よく比較することが可能となる。
【発明の効果】
【００１５】
本発明では、他のテレビジョン受信機で視聴中のテレビジョン放送に基づく音声、即ち、他のテレビジョン受信機から出力されている音声に基づいて、このテレビジョン受信機で視聴中のチャンネルを特定する。よって、特定したチャンネルのテレビジョン放送の視聴を開始することにより、チャンネルの設定操作を行うことなく、他のテレビジョン受信機で視聴していた番組と同一の番組の視聴を開始できる。
【図面の簡単な説明】
【００１６】
【図１】本発明に係るテレビジョン受信機の構成例を示す模式図である。
【図２】遅延情報算出処理の手順を示すフローチャートである。
【図３】チャンネル特定処理の手順を示すフローチャートである。
【図４】テレビジョン受信機が行う通常処理の手順を示すフローチャートである。
【発明を実施するための形態】
【００１７】
以下に、本発明に係るテレビジョン受信機について、その実施形態を示す図面に基づいて詳述する。本発明に係るテレビジョン受信機は、可搬型のテレビジョン受信機、据え置き型のテレビジョン受信機、テレビジョン放送の受信機能が搭載された携帯端末装置等に適用可能である。
【００１８】
図１は本発明に係るテレビジョン受信機の構成例を示す模式図である。本実施形態のテレビジョン受信機１は、制御部１０、ＲＡＭ（Random Access Memory）１１、記憶部１２、操作部１３、表示部１４、チューナ部１５、デコード部１６、集音部１７、音声処理部１８、音声比較部１９及び音声出力部２０等を備える。
制御部１０は、例えばＣＰＵ（Central Processing Unit ）又はＭＰＵ（Micro Processor Unit）である。制御部１０は、テレビジョン受信機１が備える上述したようなハードウェア各部と接続されており、各部の動作を制御する。
【００１９】
記憶部１２は、ＨＤＤ（Hard Disk Drive ）又はフラッシュメモリ等の記憶装置であり、制御部１０が実行する制御プログラム及び各種データを予め記憶している。制御部１０は、記憶部１２に格納されている制御プログラムを順次ＲＡＭ１１に読み出して実行することにより、テレビジョン受信機１を、本発明に係るテレビジョン受信機として動作させる。また記憶部１２は、テレビジョン受信機１が直近で選局していたチャンネルを示す最終選局情報を記憶する。
ＲＡＭ１１は、ＳＲＡＭ（Static ＲＡＭ）、ＤＲＡＭ（Dynamic ＲＡＭ）、フラッシュメモリ等である。ＲＡＭ１１は、制御部１０による制御プログラムの実行時に発生する種々のデータを一時的に記憶する。
【００２０】
操作部１３は、ユーザがテレビジョン受信機１を操作するために必要な各種の操作キーを備え、ユーザが操作した操作キーに基づく情報を受け付け、受け付けた情報を制御部１０へ送出する。制御部１０は、操作部１３から取得した情報に応じてテレビジョン受信機１の各部の動作を制御する。テレビジョン受信機１は、遠隔から操作するためのリモートコントロール装置から送信されてくるリモコン信号を受信する受信部を備えてもよい。受信部は、受信したリモコン信号を制御部１０へ送出し、制御部１０は、リモコン信号を解析し、リモコン信号に応じてテレビジョン受信機１の各部の動作を制御する。
表示部１４は、例えば液晶ディスプレイ、プラズマディスプレイ又は有機ＥＬディスプレイ等であり、制御部１０からの指示に従って各種の情報を表示する。
【００２１】
チューナ部１５は、複数チャンネルのテレビジョン放送の放送信号の受信が可能な受信部である。チューナ部１５は、制御部１０からの指示に従って、いずれかのチャンネルのテレビジョン放送の放送信号を受信する。また、チューナ部１５は、受信した放送信号をデコード部１６へ出力し、デコード部（抽出部）１６は、取得した放送信号をデコードして音声データ及び映像データを抽出する。デコード部１６は、抽出した音声データを音声出力部２０へ出力し、抽出した映像データを表示部１４へ出力する。
音声出力部２０は、スピーカ及び増幅器等を有しており、デコード部１６から取得した音声データを増幅器にて増幅し、スピーカにて音声出力する。表示部１４は、デコード部１６から取得した映像データを表示する。よって、テレビジョン受信機１は、テレビジョン放送に基づく音声を音声出力部２０にて音声出力し、テレビジョン放送に基づく映像を表示部１４にて表示する。
【００２２】
集音部１７は、例えばマイクであり、周囲の音声を収集してアナログの音声データを取得する音声取得部である。音声処理部１８は、増幅器及びＡ／Ｄ（アナログ／デジタル）変換器等を有しており、集音部１７にて収集した音声データを増幅器にて増幅し、Ａ／Ｄ変換器にてデジタルの音声データに変換する。
【００２３】
音声比較部１９には、デコード部１６にて抽出された音声データと、音声処理部１８にて処理された音声データとが入力される。音声比較部（判定部）１９は、制御部１０からの指示に従って、デコード部１６から取得した音声データと、音声処理部１８から取得した音声データとを比較して一致するか否かを判定し、判定結果（比較結果）を制御部１０へ通知する。
音声データは、時間の経過に伴って周波数が変化する特徴を有する。よって、音声比較部１９は、例えば、比較対象の音声データのそれぞれに対して、フーリエ変換又はウェーブレット変換等の周波数変換処理を行い、それぞれの音声データの周波数スペクトルを算出する。そして、音声比較部１９は、算出された周波数スペクトルをテンプレート化し、それぞれのテンプレートを比較することで音声一致を判断する。また、音声比較部１９は、比較対象の音声データのそれぞれについて、音圧、音階又は音量等におけるパターンを抽出し、それぞれのパターンにて比較してもよい。また、音声比較部１９は、その他の手段を用いて音声比較を行ってもよい。
音声比較部１９は、記憶部１２に記憶されている制御プログラムを制御部１０が実行することによって実現されるソフトウェア機能であってもよいし、専用のハードウェア回路によって実現されてもよい。
【００２４】
本発明のテレビジョン受信機は、上述した構成のほかに、通信機能を有していてもよい。例えば、インターネット等のネットワークに接続するためのインタフェース、Bluetooth（登録商標）、無線ＬＡＮ（Local Area Network）等の近距離無線通信を行うためのインタフェース、電話回線網に接続するためのインタフェースをテレビジョン受信機１に搭載してもよい。
【００２５】
本実施形態のテレビジョン受信機１は、チューナ部１５が受信するテレビジョン放送のチャンネルを順次切り替え、各チャンネルの放送信号中の音声データと、集音部１７にて集音した音声データとを比較し、集音した音声データに一致する音声データを放送しているチャンネルを特定する処理（以下、チャンネル特定処理という）を行う。これにより、例えば、テレビジョン放送を視聴中（音声を出力中）の他のテレビジョン受信機の近傍にテレビジョン受信機１を配置することによって、他のテレビジョン受信機で視聴中のチャンネルを特定できる。なお、チューナ部１５がテレビジョン放送を受信し、デコード部１６がテレビジョン放送から音声データを抽出するまでに要する時間と、他のテレビジョン受信機がテレビジョン放送に基づいて出力した音声を集音部１７が集音し、得られた音声データを音声処理部１８が処理するまでに要する時間との間には差異がある。従って、各チャンネルの放送信号中の音声データと、集音した音声データとの比較を容易にするために、両者間における遅延情報を予め算出しておく。
【００２６】
以下に、チューナ部１５がテレビジョン放送を受信し、デコード部１６がテレビジョン放送から音声データを抽出するまでに要する時間と、他のテレビジョン受信機がテレビジョン放送に基づいて出力した音声を集音部１７が集音し、得られた音声データを音声処理部１８が処理するまでに要する時間との間の遅延情報を算出する処理について説明する。図２は遅延情報算出処理の手順を示すフローチャートである。
【００２７】
遅延情報算出処理を実行させたいユーザは、例えば、自宅に設置されているテレビジョン受信機及び本実施形態のテレビジョン受信機１を操作し、両機器に対して任意の同一チャンネルの視聴の開始を指示する。そして、ユーザは、テレビジョン受信機１を自宅のテレビジョン受信機の近傍に配置し、操作部１３を操作して遅延情報算出処理の実行を指示する。なお、遅延情報算出処理は、チャンネル特定処理を行うまでに１度実行しておけばよい。
【００２８】
テレビジョン受信機１の制御部１０は、操作部１３を介して遅延情報算出処理の実行を指示された場合、ステップＳ１〜Ｓ３の処理と、ステップＳ４〜Ｓ７の処理とを並列に実行する。なお、制御部１０は、ステップＳ１〜Ｓ３の処理を行った後にステップＳ４〜Ｓ７の処理を行う構成でも、ステップＳ４〜Ｓ７の処理を行った後にステップＳ１〜Ｓ３の処理を行う構成でもよい。
【００２９】
まず制御部１０は、集音部１７による集音を開始し（Ｓ１）、集音して得られた音声データに対して音声処理部１８による音声処理を開始する（Ｓ２）。制御部１０は、音声処理部１８によって音声処理された音声データを順次ＲＡＭ１１に記憶する（Ｓ３）。
一方、制御部１０は、操作部１３を介してユーザが指示したチャンネルをチューナ部１５に指示し、チューナ部１５は、制御部１０からの指示に従って選局し（Ｓ４）、選局したチャンネルのテレビジョン放送の放送信号の受信を開始する（Ｓ５）。制御部１０は、チューナ部１５が受信した放送信号に対してデコード部１６によるデコードを開始し（Ｓ６）、デコード部１６によって抽出された音声データを順次ＲＡＭ１１に記憶する（Ｓ７）。
【００３０】
制御部１０は、ステップＳ３でＲＡＭ１１に記憶した音声データと、ステップＳ７でＲＡＭ１１に記憶した音声データとを音声比較部１９にて比較する（Ｓ８）。ステップＳ３でＲＡＭ１１に記憶した音声データは、集音部１７にて集音された音声データであり、具体的には、自宅のテレビジョン受信機から出力された音声を集音して得られたデータである。ここで、自宅のテレビジョン受信機とテレビジョン受信機１とは同一チャンネルの放送信号を受信しているので、ステップＳ８において、２つの音声データは一致する。しかし、２つの音声データは、それぞれがＲＡＭ１１に記憶されるまでに要する時間が異なる。具体的には、ステップＳ３でＲＡＭ１１に記憶された音声データは、自宅のテレビジョン受信機が放送信号を受信して出力した音声を集音部１７にて取得し、音声処理部１８にて処理されたデータである。一方、ステップＳ７でＲＡＭ１１に記憶された音声データは、チューナ部１５及びデコード部１６にて処理されたデータである。従って、ＲＡＭ１１に記憶された２つの音声データ間には、それぞれの処理に要する時間の差異に基づく遅延時間が発生する。
【００３１】
そこで、制御部（算出部）１０は、２つの音声データの比較結果に基づいて、２つの音声データ間における遅延情報を算出する（Ｓ９）。遅延情報は、２つの音声データ間の遅延時間と、いずれの音声データが他方よりも遅れているかを示す情報とを含む。制御部１０は、算出した遅延情報を記憶部１２に格納しておく。
このように、集音部１７によって集音した音声データと、チューナ部１５にて受信した放送信号に基づく音声データとの間の遅延時間を予め算出しておくことにより、以降のチャンネル特定処理にて行う２つの音声データの比較処理を効率よく行うことができる。
【００３２】
次に、テレビジョン受信機１が、自宅のテレビジョン受信機で視聴中のチャンネルを特定するチャンネル特定処理について説明する。図３はチャンネル特定処理の手順を示すフローチャートである。
【００３３】
チャンネル特定処理を実行させたいユーザは、遅延情報算出処理を実行させる場合と同様に、例えば、現在視聴中のテレビジョン受信機（自宅のテレビジョン受信機）の近傍にテレビジョン受信機１を配置する。そして、ユーザは、テレビジョン受信機１の操作部１３を操作してチャンネル特定処理の実行を指示する。
テレビジョン受信機１の制御部１０は、操作部１３を介してチャンネル特定処理の実行を指示された場合、ステップＳ１１〜Ｓ１３の処理と、ステップＳ１４〜Ｓ１７の処理とを並列に実行する。なお、制御部１０は、ステップＳ１１〜Ｓ１３の処理を行った後にステップＳ１４〜Ｓ１７の処理を行う構成でも、ステップＳ１４〜Ｓ１７の処理を行った後にステップＳ１１〜Ｓ１３の処理を行う構成でもよい。
【００３４】
まず制御部１０は、集音部１７による集音を開始し（Ｓ１１）、集音して得られた音声データに対して音声処理部１８による音声処理を開始する（Ｓ１２）。制御部１０は、音声処理部１８によって音声処理された音声データをＲＡＭ１１に記憶する（Ｓ１３）。
一方、制御部（選択部）１０は、チューナ部１５で受信可能なチャンネルのうちの１つを選択し、選択したチャンネルをチューナ部１５に指示し、チューナ部１５は、制御部１０からの指示に従って選局し（Ｓ１４）、選局したチャンネルのテレビジョン放送の放送信号の受信を開始する（Ｓ１５）。制御部１０は、チューナ部１５が受信した放送信号に対してデコード部１６によるデコードを開始し（Ｓ１６）、デコード部１６によって抽出された音声データをＲＡＭ１１に記憶する（Ｓ１７）。
【００３５】
制御部（遅延処理部）１０は、ステップＳ１３及びＳ１７でＲＡＭ１１に記憶させた音声データに対して、遅延情報算出処理で算出した遅延情報に基づく遅延処理を行う（Ｓ１８）。例えば、ステップＳ１３でＲＡＭ１１に記憶した音声データが、ステップＳ１７でＲＡＭ１１に記憶した音声データよりも遅れていた場合、ステップＳ１７でＲＡＭ１１に記憶した音声データを、算出した遅延時間だけ遅らせる。なお、この場合、ステップＳ１３でＲＡＭ１１に記憶した音声データを、算出した遅延時間だけ早める処理を行ってもよい。また、ステップＳ１７でＲＡＭ１１に記憶した音声データを、算出した遅延時間の半分の時間だけ遅らせると共に、ステップＳ１３でＲＡＭ１１に記憶した音声データを、算出した遅延時間の半分の時間だけ早める処理を行ってもよい。
【００３６】
制御部（判定部）１０は、遅延処理を行った音声データを音声比較部１９にて比較し（Ｓ１９）、音声比較部１９から通知される比較結果に基づいて、２つの音声データが一致するか否かを判断する（Ｓ２０）。一致しないと判断した場合（Ｓ２０：ＮＯ）、制御部１０は、ステップＳ１４に処理を戻し、まだ選択していないチャンネルを１つ選択し、選択したチャンネルをチューナ部１５に指示し、チューナ部１５は、制御部１０からの指示に従って選局する（Ｓ１４）。制御部１０は、ステップＳ１３及びＳ１７でＲＡＭ１１に記憶させた２つの音声データが一致するまで、順次異なるチャンネルを選択し、ステップＳ１１〜Ｓ２０の処理を繰り返す。
【００３７】
２つの音声データが一致すると判断した場合（Ｓ２０：ＹＥＳ）、制御部１０は、このときにステップＳ１４で選局していたチャンネルを、自宅のテレビジョン受信機で視聴中のチャンネルであると決定し、最終選局情報として記憶部１２に記憶する（Ｓ２１）。
このように、自宅等における他のテレビジョン受信機でテレビジョン放送を視聴中に、テレビジョン受信機１にチャンネル特定処理を行わせることにより、他のテレビジョン受信機で視聴中のチャンネルを特定できる。よって、他のテレビジョン受信機で視聴していたチャンネルを特定できるので、テレビジョン受信機１を操作することなく、同一のチャンネルの視聴が可能となる。
【００３８】
上述のチャンネル特定処理では、２つの音声データが一致した場合に、このときにテレビジョン受信機１が選局しているチャンネルが、自宅のテレビジョン受信機で視聴中のチャンネルであると特定する。しかし、例えば、異なるチャンネルで同一のコマーシャルが放送されていた場合、誤ったチャンネルを特定する可能性がある。よって、例えば、全てのチャンネルについて、集音部１７で集音した音声データに一致するか否かを判定する。そして、一致すると判定したチャンネルが複数あった場合に、この複数のチャンネルについて再度判定処理を行い、集音部１７で集音した音声データに一致するチャンネルが１つになった場合に、このチャンネルが視聴中のチャンネルであると特定するようにしてもよい。
【００３９】
次に、テレビジョン受信機１の通常動作について説明する。図４はテレビジョン受信機１が行う通常処理の手順を示すフローチャートである。
テレビジョン受信機１の制御部１０は、操作部（受付部）１３を介してユーザから起動指示（視聴開始指示）されたか否かを判断しており（Ｓ３１）、起動指示されていない場合（Ｓ３１：ＮＯ）、起動指示されるまで待機する。起動指示されたと判断した場合（Ｓ３１：ＹＥＳ）、制御部１０は、テレビジョン受信機１の各部を起動させ（Ｓ３２）、記憶部１２に記憶してある最終選局情報を読み出す（Ｓ３３）。
【００４０】
制御部１０は、記憶部１２から読み出した最終選局情報が示すチャンネルをチューナ部１５に指示し、チューナ部１５は、制御部１０からの指示に従って選局し（Ｓ３４）、選局したチャンネルのテレビジョン放送の放送信号の受信を開始する（Ｓ３５）。制御部１０は、チューナ部１５が受信した放送信号に対してデコード部１６によるデコードを開始し（Ｓ３６）、デコード部１６によって抽出された音声データ及び映像データの、音声出力部２０及び表示部１４による出力を開始する（Ｓ３７）。
【００４１】
制御部１０は、操作部１３を介してユーザから選局指示されたか否かを判断しており（Ｓ３８）、選局指示された場合（Ｓ３８：ＹＥＳ）、ステップＳ３４に処理を戻し、操作部１３を介してユーザが指示したチャンネルをチューナ部１５に指示する。チューナ部１５は、制御部１０からの指示に従って選局し（Ｓ３４）、選局したチャンネルのテレビジョン放送の放送信号の受信を開始する（Ｓ３５）。制御部１０は、ユーザによって選局指示される都度、ステップＳ３４に処理を戻し、ユーザが指示したチャンネルをチューナ部１５に指示する。これにより、ユーザが選択したチャンネルの視聴が可能となる。
【００４２】
選局指示されていないと判断した場合（Ｓ３８：ＮＯ）、制御部１０は、操作部１３を介してユーザから終了指示されたか否かを判断する（Ｓ３９）。終了指示されていないと判断した場合（Ｓ３９：ＮＯ）、制御部１０は、ステップＳ３５に処理を戻し、チューナ部１５による放送信号の受信、デコード部１６によるデコード、音声出力部２０及び表示部１４による出力（音声出力及び映像表示）を継続する。終了指示されたと判断した場合（Ｓ３９：ＹＥＳ）、制御部１０は、現在選局しているチャンネル、具体的には、制御部１０がステップＳ３４で最後に選局したチャンネルを最終選局情報として記憶部１２に記憶する（Ｓ４０）。そして、制御部１０は、テレビジョン受信機１の各部を停止させ、処理を終了する。
【００４３】
本実施形態では、チャンネル特定処理にて自宅のテレビジョン受信機で視聴中のチャンネルを特定して最終選局情報として記憶部１２に記憶しておくことにより、外出後にテレビジョン受信機１に起動指示（視聴開始指示）するだけで、操作部１３にてチャンネル設定することなく、自宅で視聴していた番組をテレビジョン受信機１にて引き続き視聴することができる。
【００４４】
本実施形態のテレビジョン受信機１は、自宅のテレビジョン受信機からの出力音声を集音して得られた音声データに基づいて、自宅のテレビジョン受信機で視聴中のチャンネルを特定する。よって、自宅のテレビジョン受信機は特別な機能を備えている必要はなく、テレビジョン受信機１と自宅のテレビジョン受信機とは通信を行わないので、テレビジョン受信機１は通信機能等のハードウェアを備えている必要はない。
【００４５】
以上、本発明の好適な実施形態について具体的に説明したが、各構成及び動作等は適宜変更可能であって、上述の実施形態に限定されることはない。
【符号の説明】
【００４６】
１  テレビジョン受信機
１０  制御部（選択部、判定部、算出部、遅延処理部）
１２  記憶部
１３  操作部（受付部）
１４  表示部
１５  チューナ部（受信部）
１６  デコード部（抽出部）
１７  集音部（音声取得部）
１９  音声比較部（判定部）
【図１】
2013239832.tif 000003
【図２】
2013239832.tif 000004
【図３】
2013239832.tif 000005
【図４】
2013239832.tif 000006